(57)【特許請求の範囲】
【請求項１】
複数の基地局と、該基地局のそれぞれと通信可能な移動通信端末とを有する移動通信システムにおいて、
前記移動通信端末は、
前記基地局のそれぞれからの受信信号レベル値および前記基地局のセル半径を含む基地局情報を検出する基地局情報検出手段と、
自己の移動速度を検出する移動速度検出手段と
を具備し、
検出した前記基地局情報及び前記移動速度に基づいて、基地局を選択する待ち受け制御を行い、
検出した前記移動速度が、予め定めた第１移動速度閾値以上であった場合、セル半径が所定の第１閾値以上の前記基地局については、検出した基地局毎の受信信号レベル値に第１オフセット値を加算して更新した値を、各基地局の更新受信信号品質値とし、
検出した前記移動速度が、予め定めた第２移動速度閾値以下であった場合、セル半径が所定の第２閾値以下の前記基地局については、検出した基地局毎の受信信号レベル値に第２オフセット値を加算して更新した値を、各基地局の更新受信信号品質値とし、
更新受信信号品質値を考慮して待ち受けに適した基地局を選定する
ことを特徴とする移動通信システム。
【請求項２】
待ち受け中の状態における最適な基地局への切り替えを行うための待ち受け制御パラメータを保持する待ち受け制御パラメータ保持部を具備し、
前記待ち受け制御パラメータと検出した前記基地局情報及び前記移動速度とに基づいて、基地局を選択する待ち受け制御を行うことを特徴とする請求項１に記載の移動通信システム。
【請求項３】
前記待ち受け制御パラメータが、前記移動通信端末が検出した基地局毎の前記基地局情報に含まれる受信信号品質値に対するオフセット値であることを特徴とする請求項２に記載の移動通信システム。
【請求項４】
前記待ち受け制御パラメータ保持部に、前記オフセット値が複数保持されていることを特徴とする請求項３に記載の移動通信システム。
【請求項５】
前記基地局のセル半径の大きさに基づく複数のオフセット値が用いられることを特徴とする請求項４に記載の移動通信システム。
【請求項６】
複数の基地局のそれぞれと通信可能な移動通信端末であって、
前記それぞれの基地局からの受信信号レベル値および前記基地局のセル半径を含む基地局情報を検出する基地局情報検出手段と、
自己の移動速度を検出する移動速度検出手段と、
待ち受け制御パラメータを保持する手段と、
を具備し、
前記待ち受け制御パラメータと、検出した前記基地局情報と前記移動速度とに基づいて、基地局を選択する待ち受け制御を行い、
検出した前記移動速度が、予め定めた第１移動速度閾値以上であった場合、セル半径が所定の第１閾値以上の前記基地局については、検出した基地局毎の受信信号レベル値に第１オフセット値を加算して更新した値を、各基地局の更新受信信号品質値とし、
検出した前記移動速度が、予め定めた第２移動速度閾値以下であった場合、セル半径が所定の第２閾値以下の前記基地局については、検出した基地局毎の受信信号レベル値に第２オフセット値を加算して更新した値を、各基地局の更新受信信号品質値とし、
更新受信信号品質値を考慮して待ち受けに最適な基地局を判定する
ことを特徴とする移動通信端末。
【請求項７】
前記移動通信端末が保持する前記待ち受け制御パラメータが、前記移動通信端末が検出した基地局毎の前記基地局情報に含まれる受信信号品質値に対するオフセット値であることを特徴とする請求項６に記載の移動通信端末。
【請求項８】
前記待ち受け制御パラメータを保持する手段が、複数のオフセット値を保持していることを特徴とする請求項７に記載の移動通信端末。
【請求項９】
前記基地局のセル半径の大きさに基づく複数のオフセット値が用いられることを特徴とする請求項８に記載の移動通信端末。
【請求項１０】
複数の基地局と、該基地局のそれぞれと通信可能な移動通信端末とを有する移動通信システムにおける通信方法であって、
前記基地局のそれぞれからの受信信号レベル値および前記基地局のセル半径を含む基地局情報を検出するステップと、
前記移動通信端末の移動速度を検出するステップと、
を具備し、
検出した前記基地局情報及び前記移動速度に基づいて、基地局を選択する待ち受け制御を行う待ち受け制御ステップを有し、
前記待ち受け制御ステップでは、
検出した前記移動速度が、予め定めた第１移動速度閾値以上であった場合、セル半径が所定の第１閾値以上の前記基地局については、検出した基地局毎の受信信号レベル値に第１オフセット値を加算して更新した値を、各基地局の更新受信信号品質値とし、
検出した前記移動速度が、予め定めた第２移動速度閾値以下であった場合、セル半径が所定の第２閾値以下の前記基地局については、検出した基地局毎の受信信号レベル値に第２オフセット値を加算して更新した値を、各基地局の更新受信信号品質値とし、
更新受信信号品質値を考慮して待ち受けに最適な基地局を判定する
ことを特徴とする通信方法。
【発明の詳細な説明】
【技術分野】
【０００１】
本発明は、移動通信技術に関し、特に、複数の周波数チャネルを有する移動通信システムにおける待ち受け制御技術に関する。
【背景技術】
【０００２】
近年、移動通信システムが広く普及しており、高速マルチメディア通信が可能になる次世代移動通信システムの開発が行われている。また、多くのユーザを収容するために１つの通信事業者が同一地域で複数の周波数チャネルを運用する移動通信システムを構築することが一般的である。このように複数の周波数チャネルを有する移動通信システムの一例としては、Ｗ−ＣＤＭＡ（Wideband Code Division Multiple Access）システムがあり、次世代通信システムとしてＯＦＣＤＭ（Orthogonal Frequency and Code Division Multiplexing）システム等が検討されている。
【０００３】
従来の移動通信システムの一例を以下に示す。Ｗ−ＣＤＭＡシステムは、３ＧＰＰ（3rd Generation Partnership Project）と呼ばれる標準化団体で通信方式が規格化されている。図５は、Ｗ−ＣＤＭＡシステムの一構成例を示すシステム構成図である。図５に示すように、Ｗ−ＣＤＭＡシステムは、ある間隔で配置された複数の基地局５１、５２、５３と、移動通信端末５４との間で無線通信を行うシステムである。ここで、移動通信端末５４では、一般的に、各基地局５１、５２、５３からの受信信号の品質を測定することにより、最適な基地局、例えば基地局５１を選択して通信を行っている。待ち受け中には、最も受信電波が強い１つの基地局、例えば基地局５１からの情報を受信しているが、移動通信端末５４が移動することにより、この基地局５１からの受信信号の品質が劣化した場合や、周辺基地局、例えば基地局５２からの受信信号の品質の方が良くなった場合には、非特許文献１に記載のような３ＧＰＰ規格の「アイドルモード時のセル選択とセル再選択（Cell selection and reselection in idle mode）」の判定基準に基づいて、信号を受信する基地局をより品質の良い基地局に変更する処理を行っている。
【０００４】
【非特許文献１】3rd Generation Partnership Project；「User Equipment(UE)  procedures in idle mode and procedures for cell reselection in connected mode」，３ＧＰＰ ＴＳ２５．３０４  Ｖ３．１４．０，Ｓｅｃｔｉｏｎ５．２，（２００４−０３）
【発明の開示】
【発明が解決しようとする課題】
【０００５】
しかしながら、上記非特許文献１に記載の規格では、待ち受け中において最適な基地局を選択する際に、一般的に、受信品質を基準にして切り替えるべき基地局を選択しており、移動通信端末５４の移動速度や基地局５１、５２、５３のセル半径に関する情報は使用されていない。その結果、待ち受け中において、移動通信端末５４が高速に移動する場合、待ち受けする基地局を変更する頻度が高くなるという問題が発生する。
【０００６】
また、待ち受け中においては、情報を受信する基地局を変更する処理を行っている間は、移動通信端末５４には着信することができないため、着信失敗の確率が高くなり、また、情報を受信する基地局を変更する際に移動通信端末５４の消費電流も多くなるため、バッテリー電力が消費しやすく待ち受け時間が短くなってしまうという問題がある。
【０００７】
そこで、本発明の目的は、移動通信端末の移動速度や基地局のセル半径に基づいて最適な基地局を選択する待ち受け制御を行い、移動通信端末が高速に移動する場合に、安定した待ち受け状態を維持し着信率の向上や移動通信端末の消費電流の低減を達成することにある。また、本発明の他の目的は、移動通信端末の制御を変更するだけで容易に実現することにある。
【課題を解決するための手段】
【０００８】
本発明の一観点によれば、複数の基地局と、該基地局のそれぞれと通信可能な移動通信端末とを有する移動通信システムにおいて、前記移動通信端末は、前記基地局のそれぞれからの受信信号レベル値を含む基地局情報を検出する基地局情報検出手段と、自己の移動速度を検出する移動速度検出手段と、を具備し、検出した前記基地局情報と前記移動速度とに基づいて、基地局を選択する待ち受け制御を行うことを特徴とする移動通信システムが提供される。
【０００９】
上記システムにおいては、移動通信端末の移動速度と基地局毎のセル半径の大きさとに応じて、最適な基地局を優先的に選択するような待ち受け制御を行う。
【００１０】
さらに、待ち受け中の状態における最適な基地局への切り替えを行うための待ち受け制御パラメータを保持する待ち受け制御パラメータ保持部を具備し、前記待ち受け制御パラメータと検出した前記基地局情報及び前記移動速度とに基づいて、基地局を選択する待ち受け制御を行うことが好ましい。これにより、ある基準をもたせ、より精度良く基地局の選定を行なうことができる。
【００１１】
本発明の他の観点によれば、複数の基地局のそれぞれと通信可能な移動通信端末であって、前記それぞれの基地局からの受信信号レベル値を含む基地局情報を検出する基地局情報検出手段と、自己の移動速度を検出する移動速度検出手段と、待ち受け制御パラメータを保持する手段とを具備し、前記待ち受け制御パラメータと、検出した前記基地局情報と前記移動速度とに基づいて、基地局を選択する待ち受け制御を行うことを特徴とする移動通信端末が提供される。
【００１２】
本発明の別の観点によれば、複数の基地局と、該基地局のそれぞれと通信可能な移動通信端末とを有する移動通信システムにおける通信方法であって、前記基地局のそれぞれからの受信信号レベル値を含む基地局情報を検出するステップと、前記移動通信端末の移動速度を検出するステップと、を具備し、検出した前記基地局情報及び前記移動速度とに基づいて、基地局を選択する待ち受け制御を行うステップとを有することを特徴とする通信方法が提供される。
【発明の効果】
【００１３】
本発明によれば、移動通信端末の移動速度と基地局毎のセル半径の大きさとに応じて、最適な基地局を優先的に選択するような待ち受け制御を行うことにより、移動通信端末が待ち受け中にある場合に、着信の失敗の確率を低減することができ、また、情報を受信する基地局を変更する頻度を低減することにより消費電流の増加を防ぐことができる。
【発明を実施するための最良の形態】
【００１４】
本発明の一実施の形態による移動通信システム及び移動通信端末について、以下に図面を参照しながら説明する。
【００１５】
図１は、本実施の形態による移動通信システムのセル構成例を示す図である。図１に示すように、本実施の形態による移動通信システムは、様々なセル半径を有するセル１１ｚ、１２ｚ、…、１５ｚをそれぞれ有する基地局１１、１２、…、１５が、各セルが互いに重なり合う状態で配置されている。ここに、セル半径は、基地局の送信電力、使用する周波数など様々な要因によって決定されるものであり、例えば、基地局送信電力が大きい方がセル半径は大きくなり、使用する周波数が低い方が伝播損失が少なくなるためセル半径は大きくなる。図１に示す例においては、セル１１ｚ、１２ｚ、１３ｚ、１４ｚがセル半径が小さいセルであり、セル１５ｚがセル半径が大きいセルである。
【００１６】
移動通信端末は、このように互いに重なり合うセル内を移動しながら通信を行う。移動通信端末は、例えば、図１において矢印で示すように、セル１１ｚ、１５ｚ、即ち基地局１１、１５の通信範囲の位置１６から、セル１４ｚ、１５ｚ即ち基地局１４、１５の通信範囲を経由して、セル１３ｚ、１５ｚ即ち基地局１３、１５の通信範囲の位置１７に向かって移動しているものとする。
【００１７】
また、移動通信端末には、複数の受信品質オフセット値が備えられている。ここで、受信品質オフセット値は、待ち受け制御用に用いる待ち受け制御パラメータとなるものであり、移動通信端末の移動速度と各基地局のセル半径の大きさとに対応する値として予め設定されており、移動速度の大きさに応じて最適の基地局を選択して、待ち受けする基地局を変更するために適用される。
【００１８】
例えば、待ち受け中の移動通信端末が高速移動する場合に、セル半径が大きい基地局ほど受信品質オフセット値の値を大きい値とし、セル半径が大きい基地局ほど移動通信端末が実際に受信した受信信号品質よりも品質の良い受信信号を受信するように、受信品質オフセット値を用いて更新することにより、セル半径が大きい基地局を優先して選択して、待ち受けする基地局を変更し、高速移動時に情報を受信する基地局を変更する頻度を低減するように制御する。
【００１９】
図２は、本実施の形態による移動通信端末の一構成例を示す機能ブロック図であり、図１に示すような移動通信システムに適用される端末の一例を示す図である。図２に示すように、移動通信端末２０は、少なくとも、基地局との間で信号を送受信する通信ユニット２１と、基地局との間の送受信信号を処理する信号処理部２２と、移動通信端末２０の移動速度を検出する速度検出部２３と、各部を制御する制御部２４と、を備えている。
【００２０】
制御部２４は、待ち受ける基地局を変更する待ち受け中のセル選択制御に関する動作を含め、移動通信端末２０の移動通信に必要な各種処理を行うものであり、少なくとも、待ち受け中の状態における最適な基地局への切り替えを行う待ち受け制御に関する動作を制御する待ち受け制御部２４ａと、各基地局の情報を検出する基地局情報検出部２４ｂと、を有している。基地局情報検出部２４ｂは、各基地局（図１の場合、基地局１１、１２、…、１５）を特定する情報と各基地局からの受信信号品質値を含む基地局情報とをそれぞれ基地局毎に検出しており、さらには、場合によっては、各基地局のセル半径を推定する情報も含めて検出している。
【００２１】
次に、本実施の形態による移動通信システムの動作について、図１及び図２に示す構成を例にして説明する。図３は、本実施の形態による移動通信システムの処理フロー図である。ここで、本実施の形態においては、最初に、移動通信端末２０は、図１の位置１６に存在しており、基地局１１から待ち受けしている状態にあり、図１の矢印の方向に向かって移動するものとする。
【００２２】
図３に示す例においては、まず、移動通信端末２０は、待ち受けしている基地局１１とその周辺の基地局１２、１３、１４、１５からそれぞれ受信した信号の受信品質を通信ユニット２１において測定し、各基地局を特定する情報と共に、基地局の情報として基地局情報検出部２４ｂにおいて検出する（ステップＳ１）。さらに、移動通信端末２０は、当該移動通信端末２０の移動速度Ｖを速度検出部２３において測定する（ステップＳ２）。
【００２３】
次に、移動通信端末２０は、適用する移動通信システム全体として予め定めた情報に基づいて、ステップＳ１で測定及び検出した各基地局１１、１２、…、１５の受信品質を含む基地局の情報から各基地局のセル半径を判断し、セル半径が大きな基地局（図１の場合には基地局１５）グループ、セル半径が小さな基地局（図１の場合には基地局１１〜１４）グループにグループ分けする（ステップＳ３）。
【００２４】
例えば、２ＧＨｚ及び８００ＭＨｚを使用した移動通信システムの場合は、一般的に、８００ＭＨｚを使用した基地局の方が、２ＧＨｚを使用した基地局よりも、伝播損失が小さいために、セル半径を大きくすることができる。従って、移動通信システム全体の各基地局に関する予め定めた情報として、各基地局が使用する周波数の情報を基にして、８００ＭＨｚを使用した基地局をセル半径が大きな基地局グループに、２ＧＨｚを使用した基地局をセル半径が小さな基地局グループに、グループ分けを行うことができる。
【００２５】
次に、移動通信端末２０は、その移動速度Ｖが予め定めた値として保持している移動速度閾値Ｖｔｈ１以上か否かを判定する（ステップＳ４）。移動通信端末２０の移動速度Ｖが移動速度閾値Ｖｔｈ１以上の場合（ステップＳ４のＹＥＳ）、通信又は待ち受けする基地局の切り替えが頻繁に生じないように、セル半径が大きな基地局グループに属する基地局（図１の場合、基地局１５）を優先的に選択できるようにするために、セル半径が大きな基地局グループに属する基地局の受信品質に対して、予め定めた値として保持している受信品質オフセット値Ｌｏｆｆ１を適用し、当該基地局の受信品質を更新する（ステップＳ５）。
【００２６】
次に、移動通信端末２０は、ステップＳ５で更新した基地局の受信品質を含む基地局の情報を基にして、現在待ち受けしている基地局１１よりも品質の良い基地局（移動通信端末２０が高速移動する場合には、セル半径が大きな基地局１５）が存在している場合には、待ち受けする基地局を、基地局１１から待ち受け情報の受信品質が良い基地局（例えば基地局１５）に変更する待ち受け制御に関する動作を行う（ステップＳ６）。
【００２７】
ステップＳ４において、移動通信端末２０の移動速度Ｖが移動速度閾値Ｖｔｈ１以上でない場合（ステップＳ４のＮＯ）、ステップＳ５をスルーしてステップＳ６に進み上記と同様の処理を行う。
【００２８】
以上のように、この通信方式では予め定めた値として保持している受信品質オフセット値Ｌｏｆｆ１及び移動速度閾値Ｖｔｈ１と当該移動通信端末２０で検出した基地局情報と移動速度Ｖとに基づいて、受信品質が最も良い最適の基地局を待ち受け基地局として優先的に選択することが可能となる。
【００２９】
次に、本発明による移動通信システムの第２実施の形態について、図１及び図２に示す構成を例に取り、図４を参照しつつ説明する。図４は、本実施の形態による移動通信システムの動作を示す処理フロー図である。ここで、本実施の形態においては、最初に、移動通信端末２０は、図１の位置１６に存在しており、基地局１１から待ち受けしている状態にあり、図１の矢印の方向に向かって移動するものとする。
【００３０】
図３の処理フロー図に示した第１の実施の形態による移動通信システムでは、移動通信端末２０の移動速度Ｖが移動速度閾値Ｖｔｈ１以上の場合に、セル半径が大きな基地局の受信品質に対して測定品質オフセット値Ｌｏｆｆ１を適用していた。第１の実施の形態による移動通信システムの場合、高速移動した移動通信端末２０が停止した状態になっても、セル半径が大きい基地局（図１の場合、基地局１５）から待ち受けしていることになり、高速移動の可能性がある移動通信端末２０は、セル半径が大きい基地局から待ち受けに偏る可能性がある。
【００３１】
そこで、本実施の形態においては、待ち受け制御パラメータとして用いる移動速度閾値及び受信品質オフセット値として、それぞれ、第１移動速度閾値Ｖｔｈ１、第２移動速度閾値Ｖｔｈ２及び第１受信品質オフセット値Ｌｏｆｆ１、第２受信品質オフセット値Ｌｏｆｆ２の２種類を用意し、移動通信端末２０の移動速度Ｖが第１移動速度閾値Ｖｔｈ１以上に速い場合には、セル半径が大きな基地局を優先的に選択できる第１移動速度閾値Ｖｔｈ１を適用するようにし、一方、移動速度Ｖが第２移動速度閾値Ｖｔｈ２以下と遅い場合には、セル半径が小さな基地局を優先的に選択できる第２受信品質オフセット値Ｌｏｆｆ２を適用できるようにすることにより、特定の基地局からの待ち受けに偏ることを避ける例を、説明する。
【００３２】
具体的には、まず、図４のステップＳ１１において、図３のステップＳ１からＳ５までの各ステップの処理（即ち、図３のフロー図の破線で囲んだＡ１の範囲の処理）を行う。説明を繰返すと、移動通信端末２０は、待ち受けしている基地局１１とその周辺の基地局１２、１３、１４、１５からそれぞれ受信した信号の受信品質を通信ユニット２１において測定し、各基地局を特定する情報と共に、基地局の情報として基地局情報検出部２４ｂにおいて検出する（ステップＳ１）。更に、移動通信端末２０は、当該移動通信端末２０の移動速度Ｖを速度検出部２３において測定する（ステップＳ２）。
【００３３】
次に、移動通信端末２０は、適用する移動通信システム全体として予め定めた情報に基づいて、ステップＳ１で測定及び検出した各基地局１１、１２、…、１５の受信品質を含む基地局の情報から、各基地局のセル半径を判断し、セル半径が大きな基地局（図１の場合、基地局１５）グループ、セル半径が小さな基地局（図１の場合、基地局１１〜１４）グループにグループ分けする（ステップＳ３）。例えば、２ＧＨｚ及び８００ＭＨｚを使用した移動通信システムの場合は、一般的に、８００ＭＨｚを使用した基地局の方が、２ＧＨｚを使用した基地局よりも、伝播損失が小さいために、セル半径を大きくすることができる。従って、移動通信システム全体の各基地局に関する予め定めた情報として、各基地局が使用する周波数の情報を基にして、８００ＭＨｚを使用した基地局をセル半径が大きな基地局グループに、また、２ＧＨｚを使用した基地局をセル半径が小さな基地局グループに、グループ分けを行うようにすることができる。
【００３４】
次に、移動通信端末２０は、当該移動通信端末２０の移動速度Ｖが予め定めた値として保持している移動速度閾値Ｖｔｈ１以上か否かを判定する（ステップＳ４）。当該移動通信端末２０の移動速度Ｖが移動速度閾値Ｖｔｈ１以上の場合（ステップＳ４のＹＥＳ）、通信又は待ち受けする基地局の切り替えが頻繁に生じないように、セル半径が大きな基地局グループに属する基地局（図１の場合、基地局１５）を優先的に選択できるようにするために、セル半径が大きな基地局グループに属する基地局の受信品質に対して、予め定めた値として保持している受信品質オフセット値Ｌｏｆｆ１を適用し、当該基地局の受信品質を更新するようにする（ステップＳ５）。ステップＳ４において、移動通信端末２０の移動速度Ｖが移動速度閾値Ｖｔｈ１以上でない場合（ステップＳ４のＮＯ）、ステップＳ５をスルーしてステップＳ６に進み上記と同様の処理を行う。
【００３５】
更に、前述した図３の第１の実施の形態とは異なり、移動通信端末２０は、移動速度Ｖが予め定めた値として保持している第２移動速度閾値Ｖｔｈ２以下か否かを判定する（ステップＳ１２）。移動通信端末２０の移動速度Ｖが第２移動速度閾値Ｖｔｈ２以下の場合（ステップＳ１２のＹＥＳ）、通信又は待ち受けする基地局が偏らないように、セル半径が小さな基地局グループに属する基地局（図１の場合、基地局１１〜１４）を優先的に選択できるようにするために、セル半径が小さな基地局グループに属する基地局の受信品質に対して、予め定めた値として保持している第２受信品質オフセット値Ｌｏｆｆ２を適用し、当該基地局の受信品質を更新するようにする（ステップＳ１３）。
【００３６】
次に、移動通信端末２０は、ステップＳ５又はステップＳ１３で更新した基地局の受信品質を含む基地局の情報を基にして、現在待ち受けしている基地局１１よりも品質の良い基地局（移動通信端末２０が高速移動する場合には、セル半径が大きな基地局１５、低速移動する場合、セル半径が小さな基地局１４、次いで基地局１３）が存在している場合には、待ち受けする基地局を、基地局１１から待ち受け情報の受信品質が良い基地局（例えば、基地局１５や、基地局１４次いで基地局１３）に変更する待ち受け制御に関する動作を行う（ステップＳ１４）。
【００３７】
以上のように、予め定めた値として保持している第１受信品質オフセット値Ｌｏｆｆ１、第２受信品質オフセット値Ｌｏｆｆ２及び第１移動速度閾値Ｖｔｈ１、第２移動速度閾値Ｖｔｈ２と移動通信端末２０で検出した基地局情報と移動速度Ｖとに基づいて、移動通信端末２０が検出した移動速度Ｖが、基地局１１から受信した第１移動速度閾値Ｖｔｈ１以上であった場合、検出した基地局毎の受信信号品質値に基地局１１から受信した第１受信品質オフセット値Ｌｏｆｆ１を加算して更新した値を、各基地局の更新受信信号品質とし、移動通信端末２０が検出した移動速度Ｖが、基地局１１から受信した第２移動速度閾値Ｖｔｈ２以下であった場合、検出した基地局毎の受信信号品質値に基地局１１から受信した第２受信品質オフセット値Ｌｏｆｆ２を加算して更新した値を、各基地局の更新受信信号品質とし、最も更新受信信号品質が良い基地局を、待ち受けに最適の基地局と判定するようにしている。
【００３８】
これにより、この通信方式では高速に移動する場合には、セル半径の大きな基地局（図１の場合、基地局１５）が優先的に選択され、低速に移動する場合には、セル半径の小さな基地局（図１の場合、基地局１４、次いで基地局１３）が優先的に選択されることにより、高速移動時に、待ち受け中の場合における待ち受けする基地局の変更の回数を少なくすることが可能となる。また、移動通信端末２０及び各基地局の負荷が低減され、通信の安定性を確保すると共に、低速移動に移行した際に、セル半径の大きな基地局からセル半径の小さな基地局に待ち受け基地局を切り替えることにより、特定の基地局に偏ることなく、移動通信システムとして安定した動作を行うことができる。
【００３９】
尚、移動通信端末の移動速度Ｖを測定する手段としては種々の方法が考えられる。例えば、加速度センサーを使用して移動速度Ｖを検出する方法、受信電波信号の周波数・位相情報から移動速度Ｖを検出する方法、ＧＰＳ等他の速度検出手段の情報から移動速度Ｖを得る方法、通信中のハンドオーバの頻度や待ち受け中の基地局変更の頻度により移動速度Ｖを類推する方法、移動通信端末を搭載する自動車の速度計等外部機器から移動速度Ｖを取得する方法等である。
【００４０】
また、待ち受けの定義としては３ＧＰＰで規定されているＩｄｌｅ−ｍｏｄｅだけではなく、ＣＥＬＬ＿ＰＣＨ、ＣＥＬＬ＿ＦＡＣＨ、ＵＲＡ＿ＰＣＨなどの共通チャネルを使用した通信状態も含まれる。
【００４１】
また、本実施の形態での基地局の定義としては、基地局およびその基地局に接続されたネットワークコントローラ、バックボーンネットワークも含まれる。
【図面の簡単な説明】
【００４２】
【図１】本発明の第１の実施の形態による移動通信システムのセル構成の一例を示す構成図である。
【図２】本実施の形態による移動通信端末の一例を示すブロック図である。
【図３】本実施の形態による移動通信システムの第１の実施例を示す処理フロー図である。
【図４】本発明の第２の実施の形態による移動通信システムの動作を示す処理フロー図である。
【図５】Ｗ−ＣＤＭＡシステムの構成の一例を示すシステム構成図である。
【符号の説明】
【００４３】
１１、１２、１３、１４、１５…基地局、１１ｚ、１２ｚ、１３ｚ、１４ｚ…セル半径が小さなセル、１５ｚ…セル半径が大きなセル、１６、１７…移動通信端末の位置、２０…移動通信端末、２１…通信ユニット、２２…信号処理部、２３…速度検出部、２４…制御部、２４ａ…待ち受け制御部、２４ｂ…基地局情報検出部、５１、５２…基地局（２ＧＨｚ）、５３…基地局（８００ＭＨｚ）、５４…移動通信端末。
【図１】
0004648793.tif 000002
【図２】
0004648793.tif 000003
【図３】
0004648793.tif 000004
【図４】
0004648793.tif 000005
【図５】
0004648793.tif 000006